(57)【特許請求の範囲】
【請求項１】
少なくとも１つのページイメージからなるドキュメントを複数合成して合成ドキュメントを生成するドキュメント合成手段と、
前記合成ドキュメントにおける、印刷面単位の印刷面通し番号と前記ページイメージ単位のページイメージ通し番号とを管理する通し番号管理手段と、
前記印刷面通し番号と前記ページイメージ通し番号との対応関係を表すリストを作成するリスト作成手段と、
前記リストが表示される表示手段と、
を含み、更に、
前記合成ドキュメントを構成するもとになった各ドキュメントの先頭を特定する先頭特定手段と、
前記表示手段に表示されるリスト中に前記先頭を表す先頭マークを付加する先頭マーク付加手段と、
を含み、
前記表示手段に表示されるリスト上において前記先頭マークによりドキュメントの先頭のページイメージ通し番号を認識できることを特徴とするドキュメント処理装置。
【請求項２】
請求項１記載の装置において、
前記リスト上においてユーザーにより特定の印刷面通し番号を選択するための手段と、
前記特定の印刷面通し番号に対応する印刷面の表示イメージを作成する手段と、
を含み、
前記表示手段には前記リスト及び前記表示イメージが表示され、
前記表示イメージにおけるページイメージ中に挿入されたページ番号と、前記リスト上における前記特定の印刷面通し番号に対応するページイメージ通し番号と、の一致又は不一致をユーザーにより判定し得る、
ことを特徴とするドキュメント処理装置。
【請求項３】
請求項１記載の装置において、
前記リスト作成手段は、ユーザー指定された印刷面通し番号についてだけ、当該印刷面通し番号に対応するページイメージ通し番号をリスト上に表すことを特徴とするドキュメント処理装置。
【請求項４】
請求項１記載の装置において、
前記ドキュメント合成手段は、同じ印刷面に対して複数のページイメージを面付けする面付け機能を有し、
前記通し番号管理手段は、面付けに係る印刷面通し番号については、面付けに係る複数のページイメージ通し番号を対応付けて管理し、
前記リスト作成手段は、前記面付けに係る印刷面通し番号の近傍に前記面付けに係る複数のページイメージ通し番号を表したリストを作成することを特徴とするドキュメント処理装置。
【請求項５】
請求項４記載の装置において、
前記リスト作成手段は、面付け形式に応じたパターンで、面付けに係る複数のページイメージ通し番号をリスト上に表すことを特徴とするドキュメント処理装置。
【請求項６】
請求項１記載の装置において、
前記通し番号管理手段は、所定の印刷面通し番号についてはページイメージ通し番号の割り当てをスキップさせることを特徴とするドキュメント処理装置。
【請求項７】
請求項１記載の装置において、
前記通し番号管理手段は、空白ページイメージについてページイメージ通し番号の割り当てを許可するモード及び禁止するモードのいずれかで動作することを特徴とするドキュメント処理装置。
【発明の詳細な説明】
【０００１】
【発明の属する技術分野】
本発明は電子的なドキュメントを処理するドキュメント処理装置に関し、特に複数のドキュメントを合成した合成ドキュメントを印刷する装置に関する。
【０００２】
【従来の技術】
ドキュメント処理装置の中には、複数のドキュメント（印刷ジョブ）を合成して１つの合成ドキュメント（合成ジョブ）を作成し、その合成ドキュメントの印刷、表示を行う機能をもったものがある。ここで、ドキュメントは各ページのイメージで構成されるものである。そのような装置は、印刷に先だって各印刷面の印刷イメージを表示するプレビュー機能をもっている。
【０００３】
ところで、ドキュメントの合成後において、各ドキュメント間でページ番号に連続性が保たれていないと、合成ドキュメントの印刷物を使用する際に支障が生じてしまう。ところが、各ドキュメントを別人が作成するような場合、自分が担当するドキュメントの先頭ページが、合成ドキュメント中における何ページに当たるのかを簡単に把握することはできない。一旦印刷してみて、その印刷結果から調整を行うことも可能であるが、それは煩雑であり用紙の無駄でもある。
【０００４】
上記のプレビュー機能によって最初の印刷面から順次めくっていき、各ドキュメント先頭までカウントを行えば、各ドキュメントの先頭ページ番号の確認を行うことも不可能ではないが、それは極めて煩雑な作業となる。すなわち、従来装置においては、単に、合成ドキュメントにおける印刷面通し番号の指定によって、各印刷面の内容確認を行うことしかできず、各印刷面に割り付けられたイメージが合成ジョブ全体として見て何ページ目（何番目のページイメージ）に相当するのであるかを容易に認識することはできない。
【０００５】
更に、ドキュメント合成後においては、どこがドキュメント間の区切りであるか認識できず、その意味においても、合成ドキュメント全体としての通し番号付けが困難であった。
【０００６】
従来のドキュメント処理装置の中には、１つの印刷面に複数のページイメージを割付ける面付け（Ｎ−ｕｐ）という機能を有するものがあり、ドキュメント合成時にもその機能を利用可能である。しかし、そのような面付けを行う場合、ページ番号の関係がより複雑となり、上記問題がより顕著となる。
【０００７】
なお、特開平５−１５１２０４号公報及び特開平６−１３１３３４号公報には、関連する装置が開示されているが、それらの装置は以下の本発明の目的を達成できるものではない。
【０００８】
本発明は、上記従来の課題に鑑みなされたものであり、その目的は、合成ドキュメントを処理するドキュメント処理装置において、それぞれの印刷面に１又は複数割り当てられる各ページイメージについて、その通し番号（合成ドキュメント中でのページ番号）を簡単に確認できるようにすることにある。
【０００９】
本発明の他の目的は、合成ドキュメントを構成する各ドキュメントについて、その先頭ページの適切なページ番号を容易に確認できるようにすることにある。
【００１０】
【課題を解決するための手段】
上記目的を達成するために、本発明は、少なくとも１つのページイメージからなるドキュメントを複数合成して合成ドキュメントを生成するドキュメント合成手段と、前記合成ドキュメントに印刷面単位の印刷面通し番号と前記ページイメージ単位のページイメージ通し番号とを管理する通し番号管理手段と、前記印刷面通し番号と前記ページイメージ通し番号との対応関係を表すリストを作成するリスト作成手段と、前記リストが表示される表示手段と、を含み、更に後述する特徴事項を含むことを特徴とする。
【００１１】
上記構成によれば、合成ドキュメント中における印刷面通し番号と、合成ドキュメント中におけるページイメージ通し番号と、が管理され、それらの対応関係が必要に応じてリスト表示される。ここで、印刷面通し番号は、合成ドキュメント中における各印刷面単位で割り当てられるページ番号であり、ページイメージ通し番号は、合成ドキュメント中における各ページイメージ単位で割り当てられるページ番号である。
【００１２】
よって、ユーザーはそのようなリスト表示に基づいて、各ページイメージの通し番号を簡単に認識することができる。前記リストは望ましくは階層構造を有する。また、前記リストはユーザーの要望に応じてそのスタイルを変更（展開による階層表示、バインドによる統合表示など）できるものであることが望ましい。
【００１３】
望ましくは、前記リスト上においてユーザーにより特定の印刷面通し番号を選択するための手段と、前記特定の印刷面通し番号に対応する印刷面の表示イメージを作成する手段と、を含み、前記表示手段には前記リスト及び前記表示イメージが表示され、前記表示イメージにおけるページイメージ中に挿入されたページ番号と、前記リスト上における前記特定の印刷面通し番号に対応するページイメージ通し番号と、の一致又は不一致をユーザーにより判定し得る。
本発明は、更に、前記合成ドキュメントを構成するもとになった各ドキュメントの先頭を特定する先頭特定手段と、前記表示手段に表示されるリスト中に前記先頭を表す先頭マークを付加する先頭マーク付加手段と、を含む。この構成によれば、リスト上において、合成ドキュメントを構成した各ドキュメント間の区切りを容易に把握でき、すなわちドキュメントの先頭（先頭ページのページイメージ通し番号）を容易に認識できる。よって、そのような認識に基づいて、各ドキュメントについてページ番号付けをやり直せば（特に先頭ページ番号の再設定を行えば）、合成ドキュメントを実際に印刷した場合において、各ページについてページ番号を適切なものにすることができる。
【００１４】
本発明の好適な態様では、前記リスト作成手段は、ユーザー指定された印刷面通し番号についてだけ、当該印刷面通し番号に対応するページイメージ通し番号をリスト上に表す。この構成によれば、表示が煩雑になってしまうことを防止できる。
【００１５】
本発明の好適な態様では、前記ドキュメント合成手段は、同じ印刷面に対して複数のページイメージを面付けする面付け機能を有し、前記通し番号管理手段は、面付けに係る印刷面通し番号については、面付けに係る複数のページイメージ通し番号を対応付けて管理し、前記リスト作成手段は、前記面付けに係る印刷面通し番号の近傍に、面付けに係る複数のページイメージ通し番号を表したリストを作成する。この構成によれば、面付け機能が実行されても、誤りなくページイメージ通し番号を把握できる。
【００１６】
本発明の好適な態様では、前記リスト作成手段は、面付け形式に応じたパターンで、面付けに係る複数のページイメージ通し番号をリスト上に表す。この構成によれば、リストから面付け形態を間接的に認識でき、またページ番号付けでの混乱を防止できる。
【００１７】
本発明の好適な態様では、前記通し番号管理手段は、所定の印刷面通し番号についてはページイメージ通し番号の割り当てをスキップさせる。本発明の好適な態様では、前記通し番号管理手段は、空白ページイメージについてページイメージ通し番号の割り当てを許可するモード及び禁止するモードのいずれかで動作する。
【００１８】
【発明の実施の形態】
図１には、比較例に係るドキュメント処理装置による表示例が示されている。ここで、このドキュメント処理装置は、複数のドキュメントを合成する機能と、その合成により得られた合成ドキュメント中における特定の印刷面のイメージを表示する機能と、を有している。
【００１９】
図１に示す表示例１００において、操作部１０２は、表示操作のためのアイコンやメニューなどが表示される部分である。ページリスト表示部１０４は、印刷面通し番号をユーザー選択させるためにページリストが表示される部分である。ここで、この比較例において、合成されたドキュメントは例えば５０個（ページ）の印刷面で構成され、それらは１０個の印刷面単位で束ねられて表示されている。この図１に示す例では、印刷面通し番号１１〜２０については展開表示されており、すなわち第１１番目の印刷面通し番号から第２０番目の印刷面通し番号までの各印刷面通し番号が個別的に階層表示されている。ちなみに、アイコン１０８は印刷面通し番号の束が展開されていないことを示しており、一方、アイコン１１０は印刷面通し番号の束が展開されていることを示している。特定の印刷面通し番号に対するユーザー選択は例えばカーソル１２０によるクリックによって行われる。
【００２０】
印刷面イメージ表示部１０６は、符号１１２で示すように、ページリスト表示部１０４上においてユーザー指定された特定の印刷面通し番号の印刷イメージ１１４が表示される領域である。図１に示す例では、上述した２アップ指定がなされた印刷面のイメージが表示されており、具体的には、印刷面の左側及び右側にそれぞれ１つずつページイメージ１１６及び１１８が割付られている。ここで、符号１２０及び１２２は、ドキュメント合成前においてユーザーによって割り当てられた各ページイメージのページ番号（オリジナルページ番号）を示すものであり、ここでは２８ページ及び２９ページが割り当てられている。これらのページ番号はイメージとしてページイメージ中に挿入されているものである。したがって、そのページ番号を修正したい場合には、ドキュメント合成前の各ドキュメントのページ番号指定を変更する必要がある。
【００２１】
図１に示すような比較例においては、印刷面通し番号を指定することにより、当該印刷面の内容は確認することが可能であるが、その印刷面内に含まれる１又は複数のページイメージについて、合成ドキュメント上でのページイメージ通し番号を確認することはできない。また、図１に示す比較例におけるページリスト表示部１０４では、合成ドキュメントにおけるドキュメント間の区切りを視覚的に認識することができない。
【００２２】
そこで、本実施形態のドキュメント処理装置においては、ページイメージ通し番号の管理機能及び先頭管理機能を有しており、その機能によって図２及び図３に示すような表示を行うことが可能である。
【００２３】
図２には、本実施形態に係る表示画面の一例が示されており、図１との対比では、特にページリスト表示部１０４に表されるリストの構成が異なっている。すなわち、本実施形態のドキュメント処理装置によれば、まず、ページリスト上においてドキュメントの区切りを示す先頭マーク２００を表示できる。そして、この先頭マーク２００を確認し、さらにその先頭マーク２００が付与された印刷面通し番号２０２をカーソル１２０等によってクリックすれば、図２に示すようなページイメージ通し番号２０４を展開表示させることが可能である。すなわち、本実施形態では、各印刷面通し番号２０２ごとにページイメージ通し番号２０４が対応付けられており、印刷面通し番号２０２を指定することにより、それに対応付けられたページイメージ通し番号２０４を画面上に表すことができる。ここでは、印刷面通し番号１８にページイメージ通し番号として３５及び３６が対応付けられており、図１のように表示される印刷面イメージ１１４における左側イメージ１１６が第３５番目のページイメージであること、及び、右側のイメージ１１８が第３６番目のページイメージであること、が表される。
【００２４】
したがって、本実施形態によれば、ページリスト上において合成ドキュメントを構成する元になった各ドキュメントにおける先頭のページ番号、すなわち合成ドキュメント上におけるページイメージ単位での通し番号を容易に認識することができるので、必要に応じて、オリジナルのドキュメントに付与するページ番号の指定を変えて、さらに再度ドキュメント合成処理を行えば、合成ドキュメント中におけるすべてのページイメージについて適切な通し番号を付与することが可能となる。
【００２５】
図２に示す例では、ページリスト上において４つの先頭マーク２００が表されており、すなわち合成ドキュメントが４つのドキュメントからなるものであることが表されているが、そのような先頭マーク２００は、たとえばアイコン１１０がクリックされて個々の印刷面通し番号２０２に展開された段階で初めて表示されるように構成してもよい。図２に示す例では、先頭ページが含まれる印刷面通し番号の束に対しても先頭マーク２００が付与されているが、これに関しては各種の変形例が考えられる。
【００２６】
ちなみに、本実施形態のドキュメント処理装置において、図１に示した印刷面イメージ表示部１０６及び操作部１０２は基本的に図１に示したものと同様の構成である。
【００２７】
図３には、本実施形態に係る他の表示例が示されている。この表示例においては、印刷面通し番号２００のクリックによってページイメージ通し番号２０４が表示されるのは図２に示した表示例と同様であるが、この図３に示す表示例ではページイメージ通し番号２０４が垂直ではなく水平方向に連続して展開表示されている。つまり、面付け方法に対応した表示パターンによりページイメージ通し番号２０４が表示されている。
【００２８】
図２及び図３の表示方法の何れにおいても階層的な表示により印刷面通し番号とページイメージ通し番号との相関関係を容易に把握可能であるが、図３に示す表示例によれば、さらに面付けパターンまでを容易に確認でき、その結果、印刷面イメージ表示部１０６に表示される各ページイメージのページイメージ通し番号を誤りなく確認することが可能である。
【００２９】
図４には、面付け指定がなされた場合におけるページイメージ通し番号の各種の表示パターンが示されている。（Ａ）は２アップ指定がされた場合における各種の面付け方法が示され、左から右への面付けあるいは右から左への面付けに応じて図示のような並びでページイメージ通し番号を表示することができる。
【００３０】
（Ｂ）には４アップ指定がなされた場合における各種のページイメージ通し番号の表示パターンが示されており、この場合においても、その面付け方法に応じて、それに対応したパターンでページイメージ通し番号を表示できる。
【００３１】
図２及び図３に示した実施形態によれば、ユーザーによる明示的な印刷面通し番号の指定があった場合にのみページイメージ通し番号を画面上に表示できるので、必要な情報のみを画面上に表してページリストの構成をシンプルにできるという利点がある。したがって、ユーザーは段階的に展開指示を行っていくだけで、目的とする印刷面についてのページイメージ通し番号を容易に確認可能である。
【００３２】
次に、図５に基づいて本実施形態のドキュメント処理装置の構成について説明する。
【００３３】
入力部１０には印刷ジョブとしての電子的なドキュメントが入力される。ここで、そのドキュメントは例えばページ記述言語で記述されたものであるが、ビットマップイメージにより構成されたドキュメントであってもよい。入力部１０を介して入力されたドキュメントは一旦記憶装置１２上に格納される。ジョブ合成部１４は、必要に応じてユーザーにより選択された複数のドキュメントを合成し、合成ドキュメントを生成する処理部である。イメージ生成部１６は例えばページ記述言語に基づいて各ページのイメージ（ページイメージ）を生成する手段である。これにより生成されたページイメージは、必要に応じて印刷制御部１８を介して印刷装置２０に送られ、その結果、各用紙に対してイメージの印刷が行われる。ちなみに、上述した面付け処理は、例えば表示制御部２８あるいは印刷制御部１８によって行われる。
【００３４】
通し番号管理部２２は、合成ドキュメント中における各印刷面単位の印刷面通し番号２０２と各ページイメージ単位のページイメージ通し番号２０４とを対応づけて管理する手段である。その管理に当たって管理テーブル２４が利用され、その具体的な内容については後に図６を用いて説明する。操作部２６は、例えばマウスやキーボードなどで構成されるものである。
【００３５】
表示制御部２８は、リスト作成部３０および表示イメージ作成部３２を有するものである。表示制御部２８は、表示装置３４へ供給する画面イメージを構成する手段であり、ここで、リスト作成部３０は図２及び図３に示したページリスト表示部１０４を構成する。また、表示イメージ作成部３２は、図１等に示した印刷面イメージ表示部１０６を構成する。ちなみに、印刷面イメージは低解像度のイメージとして構成される。リスト作成部３０がページリストを作成する際には、通し番号管理部２２を介して管理テーブル２４の内容が参照される。表示装置３４では、図２及び図３に示したような画像表示が行われる。
【００３６】
図６には、図５に示した管理テーブル２４の具体的な構成例が示されている。ここで、（Ａ）には合成ドキュメントの構成が例示されており、（Ｂ）にはそのような合成ドキュメントを管理する場合における管理テーブル２４の内容が例示されている。この例においては、合成ドキュメントは４つのドキュメントで構成されており、ドキュメント２及びドキュメント３に対しては１つの印刷面に対して２つずつページイメージを割り付ける２アップ指定がなされている。
【００３７】
このように合成ドキュメントが構成される場合、（Ｂ）に示すような管理テーブル２４が構成される。すなわち、管理テーブル２４は印刷面通し番号とページイメージ通し番号と先頭フラグとで構成されるものであり、各印刷面通し番号ごとにそれに対応するページイメージ通し番号が対応付けられている。さらに、ドキュメントの先頭の印刷面通し番号あるいはページイメージ通し番号には先頭フラグが付与されている。
【００３８】
このような管理テーブル２４は、ジョブ合成の直後に作成してもよいが、例えば表示制御部２８がページリストを構成する場合に、必要に応じて通し番号管理部２２が管理テーブル２４を作成するようにしてもよい。
【００３９】
次に、図７〜図９を用いて図５に示したドキュメント処理装置の動作について説明する。
【００４０】
図７には、管理テーブル２４の作成にかかる処理が示されている。Ｓ１０１では印刷面通し番号Ｋについての初期設定が行われ、すなわちＫに１が代入される。Ｓ１０２では、ページイメージ通し番号Ｌに対する初期設定が行われ、すなわち、Ｌに０が代入される。Ｓ１０３では、ジョブ合成部１４によって作成された合成ドキュメントから１ドキュメントが取得される。Ｓ１０４では、図８に示すようなイメージ作成処理が実行され、Ｓ１０５では、最終ドキュメントか否かが判定される。すなわち、各ドキュメントごとにＳ１０３及びＳ１０４の工程が繰り返し実行される。
【００４１】
図８には、図７に示したＳ１０４の具体的な処理内容が示されている。Ｓ２０１では、イメージ作成の準備として、１印刷面分の記憶領域とドキュメント中の１ページ分の一次記憶領域とがメモリ上に設定される。Ｓ２０２では、図５に示したイメージ作成部１６によって１ページ分の印刷イメージ（ページイメージ）が作成され、そのページイメージが上記のように設定された一次記憶領域に格納される。Ｓ２０３では、ページイメージ通し番号Ｌが１つだけインクリメントされる。
【００４２】
Ｓ２０４では、上記のように一時記憶領域に格納されたページイメージが１印刷面分の記憶領域へ割付られる。すなわち、面付け指定がされている場合には、指定された面付け方法にしたがってページイメージの割付が行われる。ちなみに、面付け指定がされていないような場合、生成されたページイメージを直接的に１印刷面分の記憶領域に割り付ける処理を行ってもよい。
【００４３】
Ｓ２０５では、最終ページまで処理が行われた否かが判定され、Ｓ２０６では、１印刷面についてのイメージの割付が完了したか否かが判定される。すなわち、例えば２アップ指定がなされている場合において、処理対象となっている印刷面に対して１つのみページイメージの割付が行われている場合には、Ｓ２０２以降の各工程が実行され、一方、当該印刷面に対して２つのページイメージの割付が完了している場合には、Ｓ２０７以降の各工程が実行される。
【００４４】
Ｓ２０７では、印刷面通し番号Ｋが１つインクリメントされる。そして、Ｓ２０８では、一印刷面分のイメージが記憶装置１２へ保存される。
【００４５】
Ｓ２０５において、最終のページイメージまで処理されたと判定された場合には、Ｓ２０９において、最後の印刷面における未イメージ割付部分が白紙ページとされる。もちろん、このＳ２０９は面付け指定がされていない場合にはスキップされ、あるいはそのような未イメージ割付部分が存在していない場合にもスキップされる。Ｓ２１０においては、Ｓ２０９において白紙ページ指定がなされた場合に、ページイメージ通し番号Ｌに白紙ページ分の数値が加算される。Ｓ２１１においては印刷面通し番号Ｋがひとつインクリメントされ、Ｓ２１２においては１印刷面分のイメージが記憶装置１２へ保存される。
【００４６】
よって、この図８に示す各処理を各ドキュメントについて行うことによって、記憶装置１２上に合成ドキュメントにおける各印刷面に相当するイメージが格納される。これと同時に、印刷面通し番号Ｋとページイメージ通し番号Ｌとの関係に基づいて図６に示した管理テーブルが構成されることになる。ちなみに、図７及び図８には示していないが、各ドキュメントの先頭が判定されており、その判定結果に基づいて管理テーブル上において先頭フラグが付加されている。
【００４７】
図９には、表示制御部２８の具体的な処理内容が示されている。Ｓ３０１においては、リスト作成部３０によって管理テーブルの内容が参照され、それによってページリストが作成される。その後、表示装置３４に当該ページリストが表示されることになる。これと並行して、Ｓ３０２ではリスト作成部３０によって先頭フラグが参照され、ページリスト上におけるドキュメントの先頭に対応する箇所に先頭マークとしてのアイコンが表示されることになる。
【００４８】
Ｓ３０３ではユーザーによる指示の入力待ち状態とされ、Ｓ３０４では、印刷面通し番号に対するユーザー指定があったか否かが判定される。ここで、そのような指示がなければＳ３０７において終了指示があったか否かが判断され、そのような終了指示があればこの処理は終了する。一方、Ｓ３０４において印刷面通し番号に対するユーザー指示があったと判定された場合には、Ｓ３０５においてそのように指示された印刷面通し番号に対応するページイメージ番号が表示画面上に階層表示されることになる。すなわち図２及び図３に示したような表示が行われる。その表示と並行して、Ｓ３０６では、表示イメージ作成部３２によって表示すべきページイメージに基づいて表示イメージが作成され、印刷面イメージ表示部１０６の内容が更新されることになる。そして図９に示す処理がユーザーによる終了指示があるまで順次繰り返される。
【００４９】
以上のように本実施形態によれば、図２及び図３に示したように印刷面通し番号２０２に対応付けられたページイメージ通し番号２０４をイメージ的にユーザーに表示することが可能であるので、そのような表示に基づいて各ページイメージについての合成ドキュメント中における通し番号を簡単に特定することが可能となる。したがって、必要に応じて各ドキュメントにおける初期ページ番号を再設定すれば、容易に合成ドキュメント中における全てのページイメージに渡って適切な通し番号すなわちページ番号を付与することが可能となる。
【００５０】
さらに、本実施形態によれば、先頭マーク２００によって各ドキュメントの先頭が把握可能であるので、その意味においても各ドキュメントにおける先頭のページイメージ通し番号を容易に把握できるという利点がある。
【００５１】
図１０及び図１１には他の実施形態に係る処理内容が示されている。図１０に示す実施形態においては、空白ページとされたページに対してはページイメージ通し番号が割り当てられておらず、その部分についてスキップ処理がなされている。また、図１１に示す実施形態においては表紙に相当するページ番号についてページイメージ番号の付与がスキップされている。このような各実施形態によれば、ユーザーが要求する各種の通し番号付与方法に対応できるという利点がある。
【００５２】
上記の各実施形態においては、印刷面イメージ表示部１０６に表示されるページ番号とページリスト上に表示されるページイメージ通し番号との一致／不一致の判定はユーザーにより行われていたが、その判定を自動化することも可能である。すなわち、印刷面におけるページ番号表示領域に対して文字認識を行い、それによって各ページイメージについてのページ番号を取得し、それとユーザー指定されたページイメージ通し番号を対比するものである。その対比結果にしたがって、さらにイメージ編集機能を利用して自動的にページイメージ中におけるページ番号の変更すなわちイメージの修正を行わせてもよい。このような変形例によれば、合成ドキュメントの処理まで戻ってページ番号を付け直す手間を排除できるという利点がある。
【００５３】
また、ページリスト上においてページイメージ通し番号２０４が表示されている場合において、ユーザーによってそのページイメージ通し番号を選択させ、当該ページイメージ通し番号のページイメージを印刷面イメージ表示部１０６に表示させることもできる。すなわち、多くのイメージが面付け指定されたような場合において、特定のページイメージを拡大して表示させるものである。さらに、その場合においてそのように表示されているページイメージに対応するページイメージ通し番号２０４を強調表示するようにしてもよい。さらに、先頭マーク２００がクリックされたような場合に、当該先頭マーク２００に対応付けられたドキュメントのＩＤやファイル名などをページリスト表示部１０４に表示させる機能を付加してもよい。
【００５４】
【発明の効果】
以上説明したように、本発明によれば、合成ドキュメントを処理するドキュメント処理装置において、それぞれの印刷面に１または複数割り当てられる各ページイメージについて、合成ドキュメント中における通し番号を簡単に確認することが可能となる。また、本発明によれば合成ドキュメント中におけるドキュメント間の区切りを簡単に認識することが可能となる。
【図面の簡単な説明】
【図１】  比較例に係るドキュメント処理装置による表示内容を示す説明図である。
【図２】  本発明に係るドキュメント処理装置によって表示されるページリスト表示部を示す説明図である。
【図３】  本発明に係るドキュメント処理装置によって表示されるページリスト表示部を示す説明図である。
【図４】  各種の面付け方法に対応したページイメージ通し番号の表示パターンを示す図である。
【図５】  本発明に係るドキュメント処理装置の全体構成を示すブロック図である。
【図６】  ドキュメントの構成と管理テーブルの内容とを示す図である。
【図７】  ドキュメント処理装置の動作を示すフローチャートである。
【図８】  図７に示すイメージ作成処理の具体的な処理内容を示すフローチャートである。
【図９】  ページリスト表示に係る処理を示すフローチャートである。
【図１０】  他の実施形態における処理内容を示す図である。
【図１１】  他の実施形態における処理内容を示す図である。
【符号の説明】
１０  入力部、１２  記憶装置、１４  ジョブ合成部、１６  イメージ生成部、１８  印刷制御部、２０  印刷装置、２２  通し番号管理部、２４  管理テーブル、２８  表示制御部、３０  リスト作成部、３２  表示イメージ作成部、３４  表示装置、１００  表示画面、１０２  操作部、１０４  ページリスト表示部、１０６  印刷面イメージ表示部、２００  先頭マーク、２０２  印刷面通し番号、２０４  ページイメージ通し番号。
【図１】
0003674290.tif 000002
【図２】
0003674290.tif 000003
【図３】
0003674290.tif 000004
【図４】
0003674290.tif 000005
【図５】
0003674290.tif 000006
【図６】
0003674290.tif 000007
【図７】
0003674290.tif 000008
【図８】
0003674290.tif 000009
【図９】
0003674290.tif 000010
【図１０】
0003674290.tif 000011
【図１１】
0003674290.tif 000012